(57)【要約】【課題】  本発明は、閉鎖空間内の空気の汚染程度によって、ファンフィルタユニットの個数が増えた場合であっても、床面に設置するスペースを極力抑えて、閉鎖空間内にファンフィルタユニットを増減自在に設けることが可能となる空気清浄装置を提供することを目的とする。【解決手段】  本発明の空気清浄装置は、四隅に位置づけられて立設された四本の支柱と、これらの支柱の、上端部に掛け渡された部材と、下端部に掛け渡された部材から構成された枠体内に、ファンフィルタユニットを載置したことを特徴とする。【選択図】  図１
2006255594.tif 000002
【特許請求の範囲】
【請求項１】
四隅に位置づけられて立設された四本の支柱と、これらの支柱の、上端部に掛け渡された部材と、下端部に掛け渡された部材から構成された枠体内に、ファンフィルタユニットを載置したことを特徴とする空気清浄装置。
【請求項２】
前記枠体に、鉛直方向および／または水平方向に複数の枠体を着脱自在に連結可能とする連結手段を設けたことを特徴とする請求項１記載の空気清浄装置。
【請求項３】
前記ファンフィルタユニットに、軸流ファンを設けたことを特徴とする請求項１または２記載の空気清浄装置。
【請求項４】
前記枠体が、移動自在な台車を備えたことを特徴とする請求項１乃至３のいずれかに記載の空気清浄装置。
【請求項５】
前記枠体に、天井から吊り下げ可能とする吊り下げ手段を設けたことを特徴とする請求項１乃至３のいずれかに記載の空気清浄装置。
【請求項６】
前記枠体に、閉鎖空間の側壁面に枠体を取り付け可能とする取付手段を設けたことを特徴とする請求項１乃至３のいずれかに記載の空気清浄装置。
【発明の詳細な説明】
【技術分野】
【０００１】
本発明は、博物館の収蔵庫のような閉鎖空間の床面や天井や側壁面に、増減自在にファンフィルタユニットを設けることが可能となる空気清浄装置に関する。
【背景技術】
【０００２】
従来、博物館の収蔵庫のような閉鎖空間内の空気を、空間内に設けた循環路によって循環させて清浄化する構造が知られている。例えば、特許文献１には、収蔵庫の周壁および天井から離間させて内壁を設け、この内壁内を収蔵室として、この内壁の天井部に空気の吹出口を設け、内壁の下部に空気の吸込口を設け、内壁と収蔵庫の周壁および天井の間を、空気の循環路とした構造が記載されている。また、収蔵庫の外部には、循環路と連通させた空気清浄装置が設置されている。収蔵室内の汚れた空気は、吸込口から吸い込まれることで、循環路内に導かれ、空気清浄装置で清浄化された後、吹出口から清浄化した空気が吹き出されて、収蔵室に供給される。尚、空気清浄装置は、収蔵庫の外部からも空気を取り入れており、循環路内を循環している空気と混合して、外部から取り入れた空気も収蔵室内に供給されている。
【０００３】
また、特許文献２には、アルカリ性汚染物質を吸着する吸着材を、美術工芸品等の展示室や収納室等の閉鎖空間内の壁面に設けるとともに、閉鎖空間のスペースの広さまたは容積に応じて、複数個の空気清浄器を床面に設置する環境改善システムが開示されている。
【特許文献１】特開平１１−１６９６３９号公報
【特許文献２】特開平８−２５７３３７号公報
【発明の開示】
【発明が解決しようとする課題】
【０００４】
しかしながら、特許文献１に記載されている構造では、収蔵庫等の閉鎖空間内に内壁を設けて空気の循環路を形成する必要があり、空気清浄するための構造が大がかりなものになるという問題があった。また、特許文献１に記載の空気清浄装置は、閉鎖空間の外部からも空気を取り入れて、閉鎖空間内に供給する構成となっているため、外部から汚染源が取り込まれ、充分に清浄化されていない空気が、閉鎖空間内に供給されてしまうというおそれもあった。
また、特許文献２に記載されているように、閉鎖空間内の空気の汚染程度に応じて、空気清浄器の個数を増加させて床面に設置すると、空気清浄器の設置によって、収蔵スペースが削減されてしまうという問題があった。
そこで、本発明は、閉鎖空間内の空気の汚染程度によって、ファンフィルタユニットの個数が増えた場合であっても、床面に設置するスペースを極力抑えて、閉鎖空間内にファンフィルタユニットを増減自在に設けることが可能となる空気清浄装置を提供することを目的とする。
【課題を解決するための手段】
【０００５】
本発明の空気清浄装置は、前記目的を達成するべく、請求項１記載の通り、四隅に位置づけられて立設された四本の支柱と、これらの支柱の、上端部に掛け渡された部材と、下端部に掛け渡された部材から構成された枠体内に、ファンフィルタユニットを載置したことを特徴とする。
また、請求項２記載の空気清浄装置は、請求項１記載の空気清浄装置において、前記枠体に、鉛直方向および／または水平方向に複数の枠体を着脱自在に連結可能とする連結手段を設けたことを特徴とする。
また、請求項３記載の空気清浄装置は、請求項１または２記載の空気清浄装置において、前記ファンフィルタユニットに、軸流ファンを設けたことを特徴とする。
また、請求項４記載の空気清浄装置は、請求項１乃至３のいずれかに記載の空気清浄装置において、前記枠体が、移動自在な台車を備えたことを特徴とする。
また、請求項５記載の空気清浄装置は、請求項１乃至３のいずれかに記載の空気清浄装置において、前記枠体に、天井から吊り下げ可能とする吊り下げ手段を設けたことを特徴とする。
また、請求項６記載の空気清浄装置は、請求項１乃至３のいずれかに記載の空気清浄装置において、前記枠体に、閉鎖空間の側壁面に枠体を取り付け可能とする取付手段を設けたことを特徴とする。
【発明の効果】
【０００６】
本発明の空気清浄装置は、四隅に位置づけられて立設された四本の支柱と、これらの支柱の、上端部に掛け渡された部材と、下端部に掛け渡された部材から構成された枠体内に、ファンフィルタユニットを載置したため、複数の枠体を鉛直方向に積み上げて、閉鎖空間に設けることができる。このため、床面に設置するスペースを極力抑えて、ファンフィルタユニットを増減自在に設けることができる。
前記枠体が、鉛直方向および／または水平方向に複数の枠体を着脱自在に連結可能とする連結手段を設けた場合は、複数の枠体を互いに連結させて、安定した状態でファンフィルタユニットを閉鎖空間に設けることができる。閉鎖空間内の汚染程度が高い場合は、ファンフィルタユニットを載置した枠体の数を増やして、閉鎖空間内の清浄化度を上げ、閉鎖空間内の汚染程度が低い場合は、前記枠体の数を減らして、運転コストを低減することができる。また、前記枠体が、移動自在な台車を備えた場合は、閉鎖空間内の邪魔にならない場所に、空気清浄装置を、容易に移動させることができる。また、前記枠体に、天井から枠体を吊り下げ可能とする吊り下げ手段または側壁面に枠体を取り付け可能とする取付手段を設けた場合は、床面ではなく、閉鎖空間の天井や側壁面に、空気清浄装置を設けることができる。
【発明を実施するための最良の形態】
【０００７】
本発明の実施の形態を図面に基づき説明する。図１は、本発明の空気清浄装置１の斜視図、図２は、空気清浄装置１の一部断面を示す側面図である。
図１および図２に示すように、枠体４は、四隅に位置づけられて立設された四本の支柱２ａ，２ｂ，２ｃ，２ｄと、これらの支柱２ａ，２ｂ，２ｃ，２ｄの下端部の間に掛け渡された部材３ａと、支柱２ａ，２ｂ，２ｃ，２ｄの上端部の間に掛け渡された部材３ｂから構成されている。この枠体４内には、支柱２ａ，２ｂ，２ｃ，２ｄの下端部の間に掛け渡された部材３ａの上に、ファンフィルタユニット５が載置されている。
【０００８】
枠体４には、鉛直方向に複数の枠体４を着脱自在に連結可能とする連結手段を設けることが好ましい。図１に示すように、例えば、枠体４には、部材３ａ，３ｂに、ボルト貫通孔１３を形成し、このボルト貫通孔１３に貫通させたボルト１１とナット１４からなる連結手段を設けている。鉛直方向に連接された複数の枠体４は、部材３ａ，３ｂに形成されたボルト貫通孔１３にボルト１１を貫通させて、ナット１４で締結させることにより、安定に連結される。
また、枠体４には、水平方向に複数の枠体４を着脱自在に連結可能とする連結手段を設けることが好ましい。図１に示すように、例えば、枠体４には、水平方向に連接された支柱同士にボルトを貫通させることが可能となるように、支柱２ａ，２ｂ，２ｃ，２ｄのそれぞれに、ボルト貫通孔１２を形成している。そして、枠体４には、ボルト貫通孔１２に貫通させたボルト１１とナット１４からなる連結手段を設けている。水平方向に連接された枠体４は、連接する支柱２ｂ，２ａの両方に形成されたボルト貫通孔１２にボルト１１を貫通させて、ナット１４で締結させることにより、安定に連結される。
尚、複数の枠体同士を着脱自在に連結可能とする連結手段は、本実施の形態に限らず、例えば、連接された枠体を着脱自在に連結可能とするクランプ等の連結手段を設けてもよい。
【０００９】
また、支柱２ａ，２ｂ，２ｃ，２ｄの下端部に掛け渡された部材３ａのうち、一つの部材にＬ字金具等からなるストッパ６を設けることが好ましい。このストッパ６を設けることによって、ストッパ６を設けていない側から、ファンフィルタユニット５を部材３ａ上をスライドさせて枠体４内に載置する場合に、ファンフィルタユニット５の落下を防止することができる。
図２に示すように、支柱の下端部に掛け渡された部材３ａ上に、ファンフィルタユニット載置用板７を設けた場合は、ファンフィルタユニット載置用板７上で、立方体状のファンフィルタユニット５をスライドさせて、枠体４内に安定に載置することができる。
【００１０】
ファンフィルタユニット５には、立方体状の箱体内に、シロッコファン、斜流ファン、軸流ファン等を設けることができる。特に、ファンフィルタユニット５内に流入させた気流の乱流を防止するため、空気を軸流方向に吸い込み、吹き出す、軸流ファン５ａを設けることが好ましい。ファンフィルタユニット５に軸流ファン５ａを設けた場合は、例えば、シロッコファンを設けた場合と比較して、ファンフィルタユニット５を薄型化することができるため好ましい。
また、ファンフィルタユニット５には、分子状汚染物質除去用のケミカルフィルタ、塵埃や浮遊菌除去用の集塵フィルタを設けることが好ましい。
【００１１】
図３に示すように、枠体４が、移動自在な台車８を備えていてもよい。美術品等を収容する閉鎖空間内において、比較的邪魔にならない場所に、空気清浄装置１を容易に移動させることができるからである。尚、図３に示す形態においては、ファンフィルタユニット５を載置させた二つの枠体４を水平方向に連結させ、これら二つの枠体４の鉛直方向に、更に、二つの枠体４を連結させた空気清浄装置１を、台車８上に備えた形態を示している。
【００１２】
また、図４に示すように、枠体４には、天井１００から枠体４を吊り下げ可能とする吊り下げ手段９を設けてもよい。枠体４には、例えば、支柱の上端部に掛け渡された部材３ｂに固定したアイボルト９ａと、このアイボルト９ａに連結させた吊りボルト９ｂからなる吊り下げ手段９を設けている。尚、図４に示す形態に限らず、例えば、枠体４には、ワイヤーロープまたは吊りボルト等からなる吊り下げ手段を設けて、閉鎖空間の天井または天井付近に設けたフレーム等から枠体４を吊り下げるようにしてもよい。
【００１３】
また、図５に示すように、枠体４には、閉鎖空間の側壁面１０１に枠体４を取り付け可能とする取付手段を設けてもよい。枠体４には、例えば、部材３ａ，３ｂに設けた、側壁面１０１に対して垂直にボルトを貫通可能とするボルト貫通孔１０ａと、このボルト貫通孔１０ａに貫通させた側壁面固定用のアンカーボルト１０ｂからなる取付手段１０を設けている。空気清浄装置１を側壁面１０１に取り付ける場合は、側壁面１０１と枠体４上に載置したファンフィルタユニット５の間に空気の流通路が形成されるように、枠体４を構成することが好ましい。具体的には、ファンフィルタユニット５の空気の吸い込み面から吹き出し面の間の長さよりも長い部材を用いて、枠体４を構成するとよい。尚、図５に示す形態に限らず、例えば、枠体４には、側壁面に固定したアンカーボルトに、取り付けブラケットを介して、取付用ボルトとナットによって枠体４を取り付ける取付手段を、設けてもよい。
【図面の簡単な説明】
【００１４】
【図１】本発明の空気清浄装置の一実施の形態を説明する斜視図
【図２】図１に示す空気清浄装置のＡ−Ａ線断面図
【図３】本発明の空気清浄装置の他の実施の形態を示す正面図
【図４】本発明の空気清浄装置の他の実施の形態を示す正面図
【図５】本発明の空気清浄装置の他の実施の形態を示す一部断面を示す側面図
【符号の説明】
【００１５】
１      空気清浄装置
２ａ，２ｂ，２ｃ，２ｄ    支柱
３ａ    部材
３ｂ    部材
４      枠体
５      ファンフィルタユニット
５ａ    軸流ファン
６      ストッパ
７      ファンフィルタユニット載置用板
８      台車
９      吊り下げ手段
９ａ    アイボルト
９ｂ    吊りボルト
１０    取付手段
１０ａ  ボルト貫通孔
１０ｂ  アンカーボルト
１１    ボルト
１２    ボルト貫通孔
１３    ボルト貫通孔
１４    ナット
１００    閉鎖空間の天井
１０１    閉鎖空間の側壁面
【図１】
2006255594.tif 000003
【図２】
2006255594.tif 000004
【図３】
2006255594.tif 000005
【図４】
2006255594.tif 000006
【図５】
2006255594.tif 000007